(57)【要約】  無線基地局は、移動局からのデータを適正に受信することができる。  無線基地局（１）の誤り検出符号化処理部（１ａ）は、下り信号の受信に必要とされる第１の制御データと、上り信号の送信に必要とされる第２の制御データとの双方を含むデータを単位として誤り検出符号化処理を施す。送信部（１ｂ）は、誤り検出符号化処理部（１ａ）によって誤り検出符号化処理されたデータを移動局（２）に送信する。
2009022402.tif 000002
【特許請求の範囲】
【請求項１】
下り信号の受信に必要とされる第１の制御データと、上り信号の送信に必要とされる第２の制御データとを移動局に送信する無線基地局において、
前記第１の制御データと前記第２の制御データとの双方を含むデータを単位として誤り検出符号化処理を施す誤り検出符号化処理部と、
前記誤り検出符号化処理部によって誤り検出符号化処理されたデータを前記移動局に送信する送信部と、
を有することを特徴とする無線基地局。
【請求項２】
前記誤り検出符号化処理部によって誤り検出符号化処理されたデータに誤り訂正符号化処理を施す誤り訂正符号化処理部をさらに有することを特徴とする請求の範囲第１項記載の無線基地局。
【請求項３】
下り信号の受信に必要とされる第１の制御データと、上り信号の送信に必要とされる第２の制御データとを無線基地局から受信する移動局において、
前記第１の制御データと前記第２の制御データとの双方を含むデータを単位として誤り検出符号化処理が施されたデータを前記無線基地局から受信する受信部と、
前記受信部によって受信されたデータに誤り検出復号化処理を施す誤り検出復号化処理部と、
前記誤り検出復号化処理部によって誤り検出復号化処理されたデータを前記第１の制御データと前記第２の制御データとに分離する分離部と、
を有することを特徴とする移動局。
【請求項４】
前記誤り検出復号化処理部に入力されるデータは、誤り訂正復号化処理部によって誤り訂正復号化処理が行われることを特徴とする請求の範囲第３項記載の移動局。
【請求項５】
下り信号の受信に必要とされる第１の制御データと、上り信号の送信に必要とされる第２の制御データとを移動局に送信する無線基地局において、
前記第１の制御データと前記第２の制御データとのそれぞれに誤り検出符号化処理を施す誤り検出符号化処理部と、
前記誤り検出符号化処理部によって誤り検出符号化処理された前記第１の制御データと前記第２の制御データとを多重する多重部と、
前記多重部によって多重された前記第１の制御データと前記第２の制御データとの双方を含むデータを単位として誤り訂正符号化処理を施す誤り訂正符号化処理部と、
前記誤り訂正符号化処理部によって誤り訂正符号化処理されたデータを送信する送信部と、
を有することを特徴とする無線基地局。
【請求項６】
前記多重部によって多重された前記第１の制御データと前記第２の制御データとにインターリーブを施すインターリーブ処理部をさらに有することを特徴とする請求の範囲第５項記載の無線基地局。
【請求項７】
下り信号の受信に必要とされる第１の制御データと、上り信号の送信に必要とされる第２の制御データとを無線基地局から受信する移動局において、
前記第１の制御データと前記第２の制御データとの双方を含むデータを単位として誤り訂正符号化処理が施されたデータを前記無線基地局から受信する受信部と、
前記受信部によって受信されたデータの誤り訂正復号化処理を施す誤り訂正復号化処理部と、
前記誤り訂正復号化処理部によって誤り訂正復号化処理されたデータを誤り検出符号化された前記第１の制御データと前記第２の制御データとに分離する分離部と、
前記分離部によって分離された誤り検出符号化された前記第１の制御データと前記第２の制御データとにそれぞれ誤り検出復号化処理を施す誤り検出復号化処理部と、
を有することを特徴とする移動局。
【請求項８】
前記誤り訂正復号化処理部によって誤り訂正復号化処理を施されたデータにデインターリーブを施すデインターリーブ処理部をさらに有することを特徴とする請求の範囲第７項記載の移動局。
【請求項９】
無線基地局と無線通信を行う移動局において、
受信した下り信号の誤り検出結果を示す情報を生成する情報生成部と、
前記下り信号の受信の有無に関わらず前記情報を前記無線基地局に送信するための領域を上りデータチャネルに確保する情報領域確保部と、
を有することを特徴とする移動局。
【請求項１０】
無線基地局と無線通信を行う移動局において、
受信した下り信号の誤り検出結果を示す情報を生成する情報生成部と、
前記下り信号の受信の有無に基づいて、前記情報を前記無線基地局に送信するための領域を上りデータチャネルに確保する情報領域確保部と、
前記情報領域確保部による前記領域の確保の有無を示す領域情報を前記上りデータチャネルに付与する領域情報付与部と、
を有することを特徴とする移動局。
【請求項１１】
移動局と無線通信を行う無線基地局において、
上りデータチャネルに含まれる前記移動局の下り信号の誤り検出結果を示す情報の有無を示す制御情報を取得する制御情報取得部と、
前記制御情報取得部によって取得された制御情報に基づいて、前記情報を前記上りデータチャネルから取得する情報取得部と、
を有することを特徴とする無線基地局。
【請求項１２】
移動局と無線通信を行う無線基地局において、
前記移動局の下り信号の誤り検出結果を示す情報を含む領域を確保した第１の伝送フォーマットと、前記情報を含む領域を確保していない第２の伝送フォーマットとに基づいて上りデータチャネルの受信処理を行う受信処理部、
を有することを特徴とする無線基地局。
【請求項１３】
無線基地局と無線通信を行う移動局において、
受信した下り信号の誤り検出結果を示す情報を生成する情報生成部と、
前記情報を上り制御チャネルで送信し、上り信号を上りデータチャネルで送信する送信部と、
を有することを特徴とする移動局。
【請求項１４】
移動局と無線通信を行う無線基地局において、
前記移動局の下り信号の誤り検出結果を示す情報を上り制御チャネルで受信する情報受信部と、
前記移動局からの上り信号を上りデータチャネルで受信する上り信号受信部と、
を有することを特徴とする無線基地局。
【発明の詳細な説明】
【技術分野】
【０００１】
本発明は無線基地局および移動局に関し、特に下りデータの誤り検出結果を示す情報を送受信する無線基地局および移動局に関する。
【背景技術】
【０００２】
無線基地局は、下りデータを送信する際、その下りデータの宛先である移動局に対し、下りデータを送信する無線リソース割り当ての情報や伝送フォーマットなどの下りスケジューリング情報を下り制御チャネル（ＰＤＣＣＨ：Physical Downlink Control Channel）で送信する。そして、無線基地局は、指定した下りスケジューリング情報に従って、下りデータの符号化、変調、無線リソースへのマッピングなどを行い、下りデータチャネル（ＰＤＳＣＨ：Physical Downlink Shared Channel）で送信する。移動局は、複数あるＰＤＣＣＨの（候補の）中から、自局宛のＰＤＣＣＨがあるかどうかを検出し、自局宛のＰＤＣＣＨを検出した場合には、そのＰＤＣＣＨを復号し、その中に含まれている下りスケジューリング情報を基に、ＰＤＳＣＨを受信し、下りデータを受信する。【０００３】
図２６は、ＰＤＣＣＨとＰＤＳＣＨを示した図である。図には、１ｍｓのサブフレームが示してある。図の縦方向は周波数を示し、横方向は時間を示す。
図に示すように制御チャネル（ＰＤＣＣＨ）ｉ，ｊ，ｋとデータチャネル（ＰＤＳＣＨ）ｉ，ｊ，ｋは、周波数領域と時間領域に割り当てられる。ここで、ある移動局宛の制御チャネルは、制御チャネルｊであるとする。この場合、ある移動局は、自局宛の制御チャネルｊを受信し、受信した制御チャネルｊに基づき、データチャネルｊのデータを受信する。【０００４】
移動局は、自局宛のＰＤＣＣＨを検出し、下りデータを受信する。そして、移動局は、下りデータの誤り検出を行う。移動局は、下りデータの誤りを検出しなければ、ＡＣＫ（ACKnowledgement）を無線基地局に返し、誤りを検出すればＮＡＣＫ（Negative ACK）を無線基地局に送信する。無線基地局は、ＡＣＫを受信した場合、次のデータを送信し、ＮＡＣＫを受信した場合、先に送ったデータを再送する。【０００５】
図２７は、下りデータの送信とそれに対する応答を示した図である。図には、無線基地局が移動局に送信する下りデータと、移動局が無線基地局に送信するＡＣＫ／ＮＡＣＫとが示してある。【０００６】
無線基地局は、図に示すように下りデータを移動局に送信する。移動局は、受信した下りデータの誤り検出を行い、誤りを検出しなければＡＣＫを無線基地局に送信する。一方、受信したデータの誤りを検出した場合には、図に示すようにＮＡＣＫを無線基地局に送信する。この場合、無線基地局は、図に示すように先に送信した下りデータを再送する。【０００７】
移動局が上りデータを送信する場合、無線基地局は、上りデータを送信する移動局に対し、上りデータ送信に用いる上り無線リソース割り当て情報（UL allocation grant）をＰＤＣＣＨで送信する。移動局は、無線基地局から指定された無線リソースを用いて、上りデータを送信する。移動局は、上りデータを送信する際、下りデータ受信に対するＡＣＫ／ＮＡＣＫがある場合には、上りデータ送信に割り当てられた無線リソースの一部を用いて、上りデータと多重して送信する。【０００８】
図２８は、上り無線リソース割り当て情報とそれに対する上りデータを示した図である。図には、無線基地局が移動局に送信する上り無線リソース割り当て情報と、移動局が基地局に送信する上りデータとが示してある。【０００９】
無線基地局は、ＰＤＣＣＨで図に示す上り無線リソース割り当て情報を移動局に送信する。移動局は、無線基地局からの上り無線リソース割り当て情報に基づいて、上りデータを送信する。【００１０】
下りデータに対するＡＣＫ／ＮＡＣＫの情報を送信する方法は、移動局が上りデータを送信する場合と、上りデータを送信しない場合の２つに分けられる。まず、上りデータを送信しない場合について説明する。【００１１】
図２９は、上りデータを送信しない場合のＡＣＫ／ＮＡＣＫの送信方法を説明する図である。図には、移動局から無線基地局に送信される上り制御チャネル（ＰＵＣＣＨ：Physical Uplink Control Channel）が示してある。移動局は、上りデータを送信しない場合、予め割り当てられた（あるいは下りデータが送信される無線リソースと関連付けられた）ＰＵＣＣＨで、ＡＣＫ／ＮＡＣＫを送信する。なお、図のようにスロット単位（０．５ｍｓ）でＰＵＣＣＨｉ，ＰＵＣＣＨｊの周波数が変わっているのは、周波数ダイバーシチ効果を得るためである。【００１２】
次に、上りデータを送信する場合について説明する。
図３０は、上りデータを送信する場合のＡＣＫ／ＮＡＣＫの送信方法を説明する図である。図には、ＰＤＣＣＨ（ＰＤＣＣＨ上のUL allocation grant）で割り当てられた上りデータチャネル（ＰＵＳＣＨ：Physical Uplink Shared Channel）が示してある。【００１３】
移動局は、ＰＵＳＣＨがある場合、図に示すように、上りデータにＡＣＫ／ＮＡＣＫを時間多重して無線基地局に送信する（例えば、非特許文献１参照）。
【非特許文献１】R1-073128, "HARQ symbol to RE mapping", 3GPP TSG RAN WG1 Meeting #49bis, Orlando, FL, USA, June 25-29, 2007
【発明の開示】
【発明が解決しようとする課題】
【００１４】
しかし、上記のＡＣＫ／ＮＡＣＫの送信方法では、無線基地局が期待する上りデータのフォーマットと、移動局が実際に送信を行う上りデータのフォーマットとの間で不一致が生じ、無線基地局では、上りデータを適正に受信できない場合が生じるという問題点があった。【００１５】
図３１は、フォーマットの不一致を説明する図のその１である。図には無線基地局から移動局に送信される下りスケジューリング情報３０１、上り無線リソース割り当て情報３０２、および下りデータ３０３が示してある。また、移動局から無線基地局に送信される上りデータ３０４が示してある。下りスケジューリング情報３０１と上り無線リソース割り当て情報３０２は、別々に誤り訂正符号化がされている。【００１６】
図３１において移動局は、下りスケジューリング情報３０１の検出に失敗し、上り無線リソース割り当て情報３０２の検出に成功したとする。この場合、移動局は、下りスケジューリング情報３０１の検出に失敗しているため、下りデータ３０３の受信処理を行わない。一方、上り無線リソース割り当て情報３０２の検出には成功しているので、移動局は、図に示すように上りデータ３０４を無線基地局に送信する。【００１７】
移動局は、下りデータ３０３の受信処理を行わないので、下りデータ３０３の誤り検出を行わない。従って、移動局は、図に示すように上りデータ３０４にＡＣＫ／ＮＡＣＫを多重せず、上りデータ３０４のみを無線基地局に送信する。【００１８】
図３２は、フォーマットの不一致を説明する図のその２である。図３２において、図３１と同じものには同じ符号を付し、その説明を省略する。
図３２では、移動局は、下りスケジューリング情報３０１と上り無線リソース割り当て情報３０２の検出に成功したとする。この場合、移動局は、下りデータ３０３を受信するので、下りデータ３０３の誤り検出を行い、上りデータ３０４にＡＣＫ／ＮＡＣＫ３０５を多重して無線基地局に送信する。【００１９】
図３１の上りデータ３０４と、図３２の上りデータ３０４とＡＣＫ／ＮＡＣＫ３０５に示すように、上りデータにＡＣＫ／ＮＡＣＫを多重させて無線基地局に送信する場合、無線基地局で想定しているＰＵＳＣＨの伝送フォーマットと、実際に移動局が送信を行うＰＵＳＣＨの伝送フォーマットとの間に不一致が起こる。【００２０】
すなわち、無線基地局から下りデータが送信される場合に、移動局が下りスケジューリング情報の検出に失敗して、上り無線リソース割り当て情報の検出に成功すると、本来、ＡＣＫ／ＮＡＣＫを多重して上りデータを送信しなければならないにも関わらず、上りデータのみを送信し、無線基地局では、上りデータを正しく受信することができなくなる。【００２１】
本発明はこのような点に鑑みてなされたものであり、無線基地局で上りデータを適正に受信できるようにする無線基地局および移動局を提供することを目的とする。
【課題を解決するための手段】
【００２２】
本発明では上記問題を解決するために、図１に示すような下り信号の受信に必要とされる第１の制御データと、上り信号の送信に必要とされる第２の制御データとを移動局２に送信する無線基地局１において、第１の制御データと第２の制御データとの双方を含むデータを単位として誤り検出符号化処理を施す誤り検出符号化処理部１ａと、誤り検出符号化処理部１ａによって誤り検出符号化処理されたデータを移動局２に送信する送信部１ｂと、を有することを特徴とする無線基地局１が提供される。【００２３】
このような無線基地局１によれば、第１の制御データと第２の制御データとの双方を含むデータを単位として誤り検出符号化処理を施して移動局２に送信する。
また、本発明では上記問題を解決するために、下り信号の受信に必要とされる第１の制御データと、上り信号の送信に必要とされる第２の制御データとを無線基地局から受信する移動局において、前記第１の制御データと前記第２の制御データとの双方を含むデータを単位として誤り検出符号化処理が施されたデータを前記無線基地局から受信する受信部と、前記受信部によって受信されたデータに誤り検出復号化処理を施す誤り検出復号化処理部と、前記誤り検出復号化処理部によって誤り検出復号化処理されたデータを前記第１の制御データと前記第２の制御データとに分離する分離部と、を有することを特徴とする移動局が提供される。【００２４】
このような移動局によれば、第１の制御データと第２の制御データとの双方を含むデータを単位として誤り検出符号化処理が施されたデータを受信し、誤り検出復号化処理を施す。そして、誤り検出復号化処理した第１の制御データと第２の制御データとを分離する。【００２５】
また、本発明では上記問題を解決するために、下り信号の受信に必要とされる第１の制御データと、上り信号の送信に必要とされる第２の制御データとを移動局に送信する無線基地局において、前記第１の制御データと前記第２の制御データとのそれぞれに誤り検出符号化処理を施す誤り検出符号化処理部と、前記誤り検出符号化処理部によって誤り検出符号化処理された前記第１の制御データと前記第２の制御データとを多重する多重部と、前記多重部によって多重された前記第１の制御データと前記第２の制御データとの双方を含むデータを単位として誤り訂正符号化処理を施す誤り訂正符号化処理部と、前記誤り訂正符号化処理部によって誤り訂正符号化処理されたデータを送信する送信部と、を有することを特徴とする無線基地局が提供される。【００２６】
このような無線基地局によれば、第１の制御データと第２の制御データとをそれぞれ誤り検出符号化処理し、誤り検出符号化処理した第１の制御データと第２の制御データとの双方を含むデータを単位として誤り訂正符号化処理する。【００２７】
また、本発明では上記問題を解決するために、下り信号の受信に必要とされる第１の制御データと、上り信号の送信に必要とされる第２の制御データとを無線基地局から受信する移動局において、前記第１の制御データと前記第２の制御データとの双方を含むデータを単位として誤り訂正符号化処理が施されたデータを前記無線基地局から受信する受信部と、前記受信部によって受信されたデータの誤り訂正復号化処理を施す誤り訂正復号化処理部と、前記誤り訂正復号化処理部によって誤り訂正復号化処理されたデータを誤り検出符号化された前記第１の制御データと前記第２の制御データとに分離する分離部と、前記分離部によって分離された誤り検出符号化された前記第１の制御データと前記第２の制御データとにそれぞれ誤り検出復号化処理を施す誤り検出復号化処理部と、を有することを特徴とする移動局が提供される。【００２８】
このような移動局によれば、第１の制御データと第２の制御データとの双方を含むデータを単位として誤り訂正符号化処理が施されたデータを受信し、誤り訂正復号化処理を施す。そして、誤り訂正復号化処理した第１の制御データと第２の制御データとを分離し、それぞれの誤り検出復号化処理を行う。【００２９】
また、本発明では上記問題を解決するために、無線基地局と無線通信を行う移動局において、受信した下り信号の誤り検出結果を示す情報を生成する情報生成部と、前記下り信号の受信の有無に関わらず前記情報を前記無線基地局に送信するための領域を上りデータチャネルに確保する情報領域確保部と、を有することを特徴とする移動局が提供される。【００３０】
このような移動局によれば、下りデータの受信の有無に関わらず、常に下り信号の誤り検出結果を示す情報を無線基地局に送信するための領域を上りデータチャネルに確保する。【００３１】
また、本発明では上記問題を解決するために、無線基地局と無線通信を行う移動局において、受信した下り信号の誤り検出結果を示す情報を生成する情報生成部と、前記下り信号の受信の有無に基づいて、前記情報を前記無線基地局に送信するための領域を上りデータチャネルに確保する情報領域確保部と、前記情報領域確保部による前記領域の確保の有無を示す領域情報を前記上りデータチャネルに付与する領域情報付与部と、を有することを特徴とする移動局が提供される。【００３２】
このような移動局によれば、下りデータの受信の有無に基づいて、下り信号の誤り検出結果を示す情報を無線基地局に送信するための領域を上りデータチャネルに確保し、領域の確保の有無を示す領域情報を上りデータチャネルに付与する。【００３３】
また、本発明では上記問題を解決するために、移動局と無線通信を行う無線基地局において、上りデータチャネルに含まれる前記移動局の下り信号の誤り検出結果を示す情報の有無を示す制御情報を取得する制御情報取得部と、前記制御情報取得部によって取得された制御情報に基づいて、前記情報を前記上りデータチャネルから取得する情報取得部と、を有することを特徴とする無線基地局が提供される。【００３４】
このような無線基地局によれば、上りデータチャネルに含まれる移動局の下り信号の誤り検出結果を示す情報の有無を示す制御情報を取得し、取得した制御情報に基づいて、上りデータチャネルから情報を取得する。【００３５】
また、本発明では上記問題を解決するために、移動局と無線通信を行う無線基地局において、前記移動局の下り信号の誤り検出結果を示す情報を含む領域を確保した第１の伝送フォーマットと、前記情報を含む領域を確保していない第２の伝送フォーマットとに基づいて上りデータチャネルの受信処理を行う受信処理部、を有することを特徴とする無線基地局が提供される。【００３６】
このような無線基地局によれば、移動局の下り信号の誤り検出結果を示す情報を含む領域を確保した第１の伝送フォーマットと、情報を含む領域を確保していない第２の伝送フォーマットとに基づいて上りデータチャネルの受信処理を行う。【００３７】
また、本発明では上記問題を解決するために、無線基地局と無線通信を行う移動局において、受信した下り信号の誤り検出結果を示す情報を生成する情報生成部と、前記情報を上り制御チャネルで送信し、上り信号を上りデータチャネルで送信する送信部と、を有することを特徴とする移動局が提供される。【００３８】
このような移動局によれば、下り信号の誤り検出結果を示す情報を上り制御チャネルで送信し、上り信号を上りデータチャネルで送信する。
さらに、本発明では上記問題を解決するために、移動局と無線通信を行う無線基地局において、前記移動局の下り信号の誤り検出結果を示す情報を上り制御チャネルで受信する情報受信部と、前記移動局からの上り信号を上りデータチャネルで受信する上り信号受信部と、を有することを特徴とする無線基地局が提供される。【００３９】
このような無線基地局によれば、下り信号の誤り検出結果を示す情報を上り制御チャネルで受信し、上り信号を上りデータチャネルで受信する。
【発明の効果】
【００４０】
本発明の無線基地局および移動局では、無線基地局が移動局からのデータを適正に受信することができる。
本発明の上記および他の目的、特徴および利点は本発明の例として好ましい実施の形態を表す添付の図面と関連した以下の説明により明らかになるであろう。
【図面の簡単な説明】
【００４１】
【図１】無線基地局の概要を示した図である。
【図２】第１の実施の形態に係る無線システムの構成例を示した図である。
【図３】ＰＤＣＣＨの検出に成功した場合の無線基地局と移動局の動作を示した図である。
【図４】ＰＤＣＣＨの検出に失敗した場合の無線基地局と移動局の動作を示した図である。
【図５】下りスケジューリング情報と上り無線リソース割り当て情報の符号化を説明する図である。
【図６】無線基地局の機能ブロック図である。
【図７】移動局の機能ブロック図である。
【図８】第２の実施の形態に係る下りスケジューリング情報と上り無線リソース割り当て情報の符号化を説明する図である。
【図９】無線基地局の機能ブロック図である。
【図１０】移動局の機能ブロック図である。
【図１１】第３の実施の形態に係る下りスケジューリング情報と上り無線リソース割り当て情報の符号化を説明する図である。
【図１２】無線基地局の機能ブロック図である。
【図１３】移動局の機能ブロック図である。
【図１４】第４の実施の形態に係る無線基地局と移動局の動作を示した図である。
【図１５】無線基地局の機能ブロック図である。
【図１６】移動局の機能ブロック図である。
【図１７】第５の実施の形態に係る無線基地局と移動局の動作を示した図である。
【図１８】無線基地局の機能ブロック図である。
【図１９】移動局の機能ブロック図である。
【図２０】第６の実施の形態に係る無線基地局と移動局の動作を示した図である。
【図２１】無線基地局の機能ブロック図である。
【図２２】移動局の機能ブロック図である。
【図２３】第７の実施の形態に係る無線基地局と移動局の動作を示した図である。
【図２４】無線基地局の機能ブロック図である。
【図２５】移動局の機能ブロック図である。
【図２６】ＰＤＣＣＨとＰＤＳＣＨを示した図である。
【図２７】下りデータの送信とそれに対する応答を示した図である。
【図２８】上り無線リソース割り当て情報とそれに対する上りデータを示した図である。
【図２９】上りデータを送信しない場合のＡＣＫ／ＮＡＣＫの送信方法を説明する図である。
【図３０】上りデータを送信する場合のＡＣＫ／ＮＡＣＫの送信方法を説明する図である。
【図３１】フォーマットの不一致を説明する図のその１である。
【図３２】フォーマットの不一致を説明する図のその２である。
【発明を実施するための最良の形態】
【００４２】
以下、本発明の原理を図面を参照して詳細に説明する。
図１は、無線基地局の概要を示した図である。図に示すように無線基地局１は、誤り検出符号化処理部１ａおよび送信部１ｂを有している。無線基地局１は、移動局２の下り信号の受信に必要とされる第１の制御データと、移動局２の上りデータの送信に必要とされる第２の制御データとを移動局２に送信する。第１の制御データは、例えば、ＰＤＣＣＨで送信される下りスケジューリング情報であり、第２の制御データは、例えば、ＰＤＣＣＨで送信される上り無線リソース割り当て情報である。【００４３】
誤り検出符号化処理部１ａは、第１の制御データと第２の制御データとの双方を含むデータを単位として誤り検出符号化処理を施す。すなわち、誤り検出符号化処理部１ａは、第１の制御データと第２の制御データとを別々ではなく、まとめて誤り検出符号化処理を行う。【００４４】
送信部１ｂは、誤り検出符号化処理部１ａによって誤り検出符号化処理された第１の制御データと第２の制御データとを移動局２に送信する。
このように、無線基地局１は、第１の制御データと第２の制御データとの双方を含むデータを単位として誤り検出符号化処理を施す。従って、移動局２では、第１の制御データと第２の制御データとの一方のみについて誤り検出をするということはなく、一方の制御データのみの受信に成功するということはない。例えば、第１の制御データに誤りがあれば、移動局は、第１の制御データと第２の制御データの両方で誤り検出をするため、第２の制御データの検出に失敗する。【００４５】
これにより、移動局２は、第１の制御データの受信に失敗して、第２の制御データの受信に成功し、第２の制御データに基づき、上り信号を無線基地局１に送信することはない。すなわち、移動局２は、第１の制御データと第２の制御データとの両方の受信に成功して、下り信号の誤り検出結果を含む上り信号を送信するので、無線基地局１における受信データのフォーマットに不一致が生じるということはない。よって、無線基地局１は、上り信号を適正に受信することができる。【００４６】
次に、本発明の第１の実施の形態を図面を参照して詳細に説明する。
図２は、第１の実施の形態に係る無線システムの構成例を示した図である。図には無線基地局１１と移動局１２とが示してある。図に示す無線基地局１１と移動局１２は、例えば、ＬＴＥ（Long Term Evolution）に基づいた無線通信を行う。【００４７】
無線基地局１１は、下りスケジューリング情報と上り無線リソース割り当て情報とをまとめて符号化し、ＰＤＣＣＨで送信する。
移動局１２は、自局宛のＰＤＣＣＨの検出を行う。移動局１２は、自局宛のＰＤＣＣＨの検出に成功し、検出したＰＤＣＣＨの中に下りスケジューリング情報と上り無線リソース割り当て情報とが含まれていた場合には、下りデータの受信処理を行い、下りデータの誤り検出を行う。そして、上り無線リソース割り当て情報に基づくＰＵＳＣＨにおいて、下りデータの誤り検出結果に応じたＡＣＫ／ＮＡＣＫを上りデータに多重し、送信する。一方、自局宛の下りＰＤＣＣＨの検出に失敗した場合には、移動局１２は、ＰＵＳＣＨにおいて何も送信しない。【００４８】
下りスケジューリング情報と上り無線リソース割り当て情報は、まとめて符号化され、移動局に送信される。従って、移動局１２では、一方の情報の検出に成功し、他方の情報の検出に失敗するということはない。すなわち、移動局１２は、図３１のように上りデータ３０４のみを無線基地局１１に送信するということはなく、無線基地局１１では、受信フォーマットの不一致が生じるということはない。【００４９】
図３は、ＰＤＣＣＨの検出に成功した場合の無線基地局と移動局の動作を示した図である。図には、制御情報２１と下りデータ２２とが示してある。また、上りデータ２３と上りデータに時間多重されたＡＣＫ／ＮＡＣＫ２４とが示してある。【００５０】
制御情報２１は、下りスケジューリング情報と上り無線リソース割り当て情報とをまとめて符号化したものである。無線基地局１１は、この制御情報２１をＰＤＣＣＨで送信する。また、無線基地局１１は、下りデータ２２をＰＤＳＣＨで送信する。【００５１】
移動局１２は、制御情報２１の検出に成功し、制御情報２１の下りスケジューリング情報に基づいて下りデータ２２を受信する。移動局１２は、受信した下りデータ２２の誤り検出を行う。また、移動局１２は、上り無線リソース割り当て情報に基づき、上りデータ２３を無線基地局１１に送信する。移動局１２は、下りデータ２２の誤り検出結果であるＡＣＫ／ＮＡＣＫ２４を上りデータ２３に多重して、無線基地局１１に送信する。【００５２】
図４は、ＰＤＣＣＨの検出に失敗した場合の無線基地局と移動局の動作を示した図である。図４において、図３と同じものには同じ符号を付し、その説明を省略する。
無線基地局１１は、下りスケジューリング情報と上り無線リソース割り当て情報とをまとめて符号化した制御情報２１をＰＤＣＣＨで送信する。また、無線基地局１１は、下りデータ２２をＰＤＳＣＨで送信する。【００５３】
移動局１２は、下りスケジューリング情報と上り無線リソース割り当て情報とを含む制御情報２１の検出に失敗したとする。この場合、移動局１２は、下りスケジューリング情報を検出できないので、下りデータ２２の受信処理を行わない。また、上りリソース割り当て情報も検出できないので、上りデータの送信処理も行わない。【００５４】
無線基地局１１は、ＰＤＳＣＨで下りデータ２２を送ったにも関わらず、移動局１２から何も受信しない。このため、無線基地局１１は、ＡＣＫ／ＮＡＣＫの信号が送信されていないことを示すＤＴＸを検出する。無線基地局１１は、ＤＴＸを検出すると、図の制御情報２５および下りデータ２６に示すように、先に送信した下りデータ２２を再び移動局１２に送信する。【００５５】
移動局１２は、再送されたデータを検出できた場合には、図３で説明したのと同様に、上りデータ２３とＡＣＫ／ＮＡＣＫ２４とを無線基地局１１に送信する。
図３１、図３２では、下りスケジューリング情報３０１と上り無線リソース割り当て情報３０２とを別々に符号化していた。そのため、ＰＤＣＣＨに含まれる下りスケジューリング情報３０１と上り無線リソース割り当て情報３０２との一方だけその検出に失敗し、他方だけが検出に成功するという事象が生じていた。これにより、無線基地局と移動局の伝送フォーマットに不一致が生じていた。【００５６】
これに対し、図２の無線基地局１１は、図３、図４に示すように下りスケジューリング情報と上り無線リソース割り当て情報とをまとめて符号化する。従って、移動局１２では、一方のみの情報の検出に成功し、他方の情報の検出だけが成功するという事象は発生せず、移動局１２は、まとめて符号化された下りスケジューリング情報と上り無線リソース割り当て情報の制御情報の検出に失敗すれば、上りデータを送信しない。【００５７】
すなわち、図２の移動局１２は、ＡＣＫ／ＮＡＣＫを多重した上りデータと、ＡＣＫ／ＮＡＣＫを多重しない上りデータとの異なったフォーマットの上りデータを送信することはなく、常にＡＣＫ／ＮＡＣＫを多重した上りデータを送信するか、何もデータを送信しないことになる。これにより、無線基地局１１では、移動局１２からのフォーマットが統一されることになり、移動局１２から適正にデータを受信することができる。【００５８】
図５は、下りスケジューリング情報と上り無線リソース割り当て情報の符号化を説明する図である。図には、下りスケジューリング情報３１および上り無線リソース割り当て情報３２が示してある。【００５９】
無線基地局１１は、図に示すように下りスケジューリング情報３１と上り無線リソース割り当て情報３２とをまとめて（１つのデータとして）誤り検出符号化を行う。例えば、ＣＲＣ（Cyclic Redundancy Check）符号化を行う。無線基地局１１は、さらに、誤り訂正符号化（ＦＥＣ:Forward Error Correction）を行う。例えば、ターボ符号化や畳み込み符号化を行う。【００６０】
このように、無線基地局１１は、下りスケジューリング情報３１と上り無線リソース割り当て情報３２とをまとめて誤り検出符号化をする。これにより、移動局１２は、一方のみの情報の誤り検出を行うということはない。すなわち、移動局１２は、下りスケジューリング情報３１と上り無線リソース割り当て情報３２との一方に誤りがある場合には、スケジューリング情報３１と上り無線リソース割り当て情報３２の両方の誤りを検出することになる。【００６１】
図６は、無線基地局の機能ブロック図である。図に示すように無線基地局１１は、制御部４１とデータ処理部４２を有している。制御部４１は、データ処理部４２が行うデータ処理の制御を行う。【００６２】
データ処理部４２の下りデータ用制御データ生成部４２ａは、下りスケジューリング情報を生成する。
上りデータ用制御データ生成部４２ｂは、上り無線リソース割り当て情報を生成する。【００６３】
多重部４２ｃは、下りデータ用制御データ生成部４２ａで生成された下りスケジューリング情報と、上りデータ用制御データ生成部４２ｂで生成された上り無線リソース割り当て情報とを時間多重する。【００６４】
誤り検出符号化部４２ｄは、多重された下りスケジューリング情報と上り無線リソース割り当て情報とをまとめて誤り検出符号化を行う。例えば、ＣＲＣ符号化を行う。
誤り訂正符号化部４２ｅは、誤り検出符号化された下りスケジューリング情報と上り無線リソース割り当て情報とをまとめて誤り訂正符号化を行う。例えば、ターボ符号化や畳み込み符号化を行う。【００６５】
下りデータ生成部４２ｆは、移動局１２に送信する下りデータを生成する。
誤り検出符号化部４２ｇは、下りデータの誤り検出符号化を行う。例えば、ＣＲＣ符号化を行う。【００６６】
誤り訂正符号化部４２ｈは、下りデータの誤り訂正符号化を行う。例えば、ターボ符号化や畳み込み符号化を行う。
送信信号処理部４２ｉは、移動局１２に送信する信号の信号処理を行う。例えば、符号化された下りスケジューリング情報と上り無線リソース割り当て情報の変調やリソースマッピングを行う。また、符号化された下りデータの変調やリソースマッピングなどを行う。【００６７】
送受信部４２ｊは、送信信号処理部４２ｉから出力される信号を、アンテナを介して移動局１２に無線送信する。また、送受信部４２ｊは、移動局１２から無線送信された信号を受信して、受信信号処理部４２ｋに出力する。【００６８】
受信信号処理部４２ｋは、送受信部４２ｊが受信した無線信号の復調やリソースデマッピングなどを行う。
復号部４２ｌは、受信信号処理部４２ｋから出力される信号の復号を行い、ＡＣＫ／ＮＡＣＫの信号を復号する。【００６９】
ＡＣＫ／ＮＡＣＫ判定部４２ｍは、復号部４２ｌによって復号された信号がＡＣＫであるかＮＡＣＫであるか判断する。ＡＣＫ／ＮＡＣＫ判定部４２ｍは、ＮＡＣＫを判定した場合、下りデータの再送を行うように下りデータ用制御データ生成部４２ａと下りデータ生成部４２ｆを制御する。【００７０】
誤り訂正復号部４２ｎは、受信信号処理部４２ｋから出力される上りデータの誤り訂正復号を行う。
誤り検出復号部４２ｏは、誤り訂正復号部４２ｎから出力される上りデータの誤り検出復号を行う。誤り検出復号部４２ｏは、上りデータの誤りを検出した場合、再度、移動局１２が上りデータを送信するように上りデータ用制御データ生成部４２ｂを制御する。【００７１】
上りデータ処理部４２ｐは、誤り検出復号部４２ｏから出力される上りデータに対し、所定の処理を行う。
図７は、移動局の機能ブロック図である。図に示すように移動局１２は、制御部５１とデータ処理部５２を有している。制御部５１は、データ処理部５２が行うデータ処理の制御を行う。【００７２】
データ処理部５２の送受信部５２ａは、無線基地局１１からアンテナを介して無線信号を受信する。
受信信号処理部５２ｂは、送受信部５２ａが受信した無線信号の復調やリソースデマッピングなどを行う。【００７３】
誤り訂正復号部５２ｃは、受信信号処理部５２ｂから出力される、多重された下りスケジューリング情報と上り無線リソース割り当て情報との信号の誤り訂正復号を行う。
誤り検出復号部５２ｄは、誤り訂正復号部５２ｃから出力される信号の誤り検出復号を行う。【００７４】
分離部５２ｅは、誤り検出復号部５２ｄから出力される、多重された下りスケジューリング情報と上り無線リソース割り当て情報との分離を行う。分離した下りスケジューリング情報は、下りデータ用制御データ処理部５２ｆに出力され、上り無線リソース割り当て情報は、上りデータ用制御データ処理部５２ｇに出力される。【００７５】
下りデータ用制御データ処理部５２ｆは、下りスケジューリング情報に基づき、受信信号処理部５２ｂを制御する。
上りデータ用制御データ処理部５２ｇは、上り無線リソース割り当て情報に基づき、上りデータ生成部５２ｍを制御する。【００７６】
誤り訂正復号部５２ｈは、受信信号処理部５２ｂから出力される下りデータ信号の誤り訂正復号を行う。
誤り検出復号部５２ｉは、誤り訂正復号部５２ｈから出力される下りデータ信号の誤り検出復号を行う。【００７７】
下りデータ処理部５２ｊは、誤り検出復号部５２ｉから出力される下りデータに対し、所定の処理を行う。
ＡＣＫ／ＮＡＣＫ生成部５２ｋは、誤り検出復号部５２ｉの下りデータの誤り検出復号に応じて、ＡＣＫ／ＮＡＣＫを生成する。誤り検出復号部５２ｉが下りデータの誤りを検出した場合、ＮＡＣＫを生成し、下りデータの誤りを検出しなかった場合、ＡＣＫを生成する。【００７８】
符号化部５２ｌは、ＡＣＫ／ＮＡＣＫ生成部５２ｋから出力されるＡＣＫおよびＮＡＣＫを符号化する。
上りデータ生成部５２ｍは、上りデータ用制御データ処理部５２ｇの制御に応じて、無線基地局１１に送信する上りデータを生成する。例えば、上り無線リソース割り当て情報に当該移動局１２の無線リソースが割り当てられていた場合、無線基地局１１に送信する上りデータを生成する。【００７９】
誤り検出符号化部５２ｎは、上りデータ生成部５２ｍで生成された上りデータの誤り検出符号化を行う。
誤り訂正符号化部５２ｏは、誤り検出符号化部５２ｎから出力される上りデータの誤り訂正符号化を行う。【００８０】
送信信号処理部５２ｐは、符号化部５２ｌから出力されるＡＣＫ／ＮＡＣＫの信号と誤り訂正符号化部５２ｏから出力される上りデータとの変調やリソースマッピングなどを行う。【００８１】
このように、無線基地局１１は、下りスケジューリング情報と上り無線リソース割り当て情報とをまとめて符号化する。これにより、移動局１２からは、フォーマットの統一した上りデータが送信され、無線基地局１１は、適正に上りデータを受信することができる。【００８２】
次に、本発明の第２の実施の形態を図面を参照して詳細に説明する。第１の実施の形態では、無線基地局は、下りスケジューリング情報と上り無線リソース割り当て情報とをまとめて誤り検出符号化し、誤り訂正符号化を行っていた。第２の実施の形態では、無線基地局は、下りスケジューリング情報と上り無線リソース割り当て情報とのそれぞれを誤り検出符号化してから、まとめて誤り訂正符号化を行う。【００８３】
図８は、第２の実施の形態に係る下りスケジューリング情報と上り無線リソース割り当て情報の符号化を説明する図である。図には、下りスケジューリング情報６１と上り無線リソース割り当て情報６２が示してある。【００８４】
無線基地局は、図に示すように下りスケジューリング情報６１と上り無線リソース割り当て情報６２とのそれぞれにおいて誤り検出符号化を行う。例えば、ＣＲＣ符号化を行う。【００８５】
また、無線基地局は、誤り検出符号化した下りスケジューリング情報６１と上り無線リソース割り当て情報６２とを、まとめて誤り訂正符号化を行う。例えば、ターボ符号化や畳み込み符号化を行う。【００８６】
このように、下りスケジューリング情報６１と上り無線リソース割り当て情報６２とのそれぞれを誤り検出符号化し、それらをまとめて誤り訂正符号化することによって、移動局では、一方のみの情報の誤り検出が低減される。すなわち、移動局は、下りスケジューリング情報６１と上り無線リソース割り当て情報６２との誤り訂正復号を適正に行うことができない場合には、スケジューリング情報６１と上り無線リソース割り当て情報６２の両方の誤りを検出することになる。【００８７】
これにより、移動局は、下りスケジューリング情報の検出に失敗し、上り無線リソース割り当て情報の検出に成功して、上りデータのみを無線基地局に送信することが低減され、無線基地局での上りデータのフォーマットの不一致を抑制できる。【００８８】
図９は、無線基地局の機能ブロック図である。図９の各部は、図６で示した無線基地局１１の各部と同じ機能を有している。ただし、図９の無線基地局は、図６の無線基地局に対し、符号化の手順が異なっている。以下では、図６と異なる部分についてのみ説明する。【００８９】
図９の無線基地局では、図６の無線基地局１１に対し、下りデータ用制御データ生成部７２ａから出力される下りスケジューリング情報と、上りデータ用制御データ生成部７２ｃから出力される上り無線リソース割り当て情報とのそれぞれを、誤り検出符号化部７２ｂ，７２ｄによって誤り検出符号化を行い、多重部７２ｅで多重する。そして、多重された下りスケジューリング情報と上り無線リソース割り当て情報とを、誤り訂正符号化部７２ｆによってまとめて誤り訂正符号化する。【００９０】
図１０は、移動局の機能ブロック図である。図１０の各部は、図７で示した移動局１２の各部と同じ機能を有している。ただし、図１０の移動局は、図７の移動局に対し、復号の手順が異なっている。以下では、図７と異なる部分についてのみ説明する。【００９１】
図１０の移動局の受信する信号は、下りスケジューリング情報と上り無線リソース割り当て情報とのそれぞれが誤り検出符号化され、まとめて誤り訂正符号化されている。従って、図１０の移動局では、図７の移動局１２に対し、受信した下りスケジューリング情報と上り無線リソース割り当て情報とを誤り訂正復号部８２ｃによって誤り訂正復号する。【００９２】
また、図１０の移動局は、誤り訂正された下りスケジューリング情報と上り無線リソース割り当て情報とを、分離部８２ｄによって下りスケジューリング情報と上り無線リソース割り当て情報とのそれぞれに分離する。そして、誤り検出復号部８２ｅ，８２ｇによって、分離されたそれぞれの下りスケジューリング情報と上り無線リソース割り当て情報との誤り検出復号を行う。【００９３】
このように、無線基地局は、下りスケジューリング情報と上り無線リソース割り当て情報とのそれぞれを誤り検出符号化してから、まとめて誤り訂正符号化を行う。これによっても、移動局からは、統一したフォーマットの上りデータが送信され得るので、無線基地局は、適正に上りデータを受信することができる。【００９４】
次に、本発明の第３の実施の形態を図面を参照して詳細に説明する。第３の実施の形態では、第２の実施の形態に対し、下りスケジューリング情報と上り無線リソース割り当て情報とのそれぞれを誤り検出符号化してからインターリーブを行い、その後まとめて誤り訂正符号化を行う。【００９５】
図１１は、第３の実施の形態に係る下りスケジューリング情報と上り無線リソース割り当て情報の符号化を説明する図である。図には、下りスケジューリング情報９１および上り無線リソース割り当て情報９２が示してある。【００９６】
無線基地局は、図に示すように下りスケジューリング情報９１と上り無線リソース割り当て情報９２とのそれぞれにおいて誤り検出符号化を行う。例えば、ＣＲＣ符号化を行う。また、無線基地局は、誤り検出符号化した下りスケジューリング情報９１と上り無線リソース割り当て情報９２とをまとめてインターリーブする。そして、無線基地局１１は、インターリーブした下りスケジューリング情報９１と上り無線リソース割り当て情報９２とをまとめて誤り訂正符号化する。例えば、ターボ符号化や畳み込み符号化を行う。【００９７】
このように、スケジューリング情報９１と上り無線リソース割り当て情報９２とのそれぞれを誤り検出符号化してまとめてインターリーブを行い、これらをまとめて誤り訂正符号化することによっても、移動局は、一方のみの情報の誤り検出を低減できる。すなわち、移動局は、下りスケジューリング情報９１と上り無線リソース割り当て情報９２との誤り訂正復号を適正に行うことができない場合には、スケジューリング情報９１と上り無線リソース割り当て情報９２の両方の誤りを検出することになる。【００９８】
これにより、移動局は、下りスケジューリング情報９１の検出に失敗し、上り無線リソース割り当て情報９２の検出に成功して、上りデータのみを無線基地局に送信することが低減され、基地局での上りデータのフォーマットの不一致を抑制できる。【００９９】
図１２は、無線基地局の機能ブロック図である。図１２の各部は、図９で示した無線基地局の各部と同じ機能を有している。ただし、図１２の無線基地局は、図９の無線基地局に対し、インターリーブを行うところが異なっている。以下では、図９と異なる部分についてのみ説明する。【０１００】
図１２の無線基地局では、図９の無線基地局に対し、誤り検出符号化された下りスケジューリング情報と上り無線リソース割り当て情報とを多重部１０２ｅによって多重した後、インターリーブ１０２ｆによって、多重されたデータをインターリーブする。そして、インターリーブしたデータを、誤り訂正符号化部１０２ｇによって、誤り訂正符号化する。【０１０１】
図１３は、移動局の機能ブロック図である。図１３の各部は、図１０で示した移動局の各部と同じ機能を有している。ただし、図１３の移動局は、図１０の移動局に対し、デインターリーブを行うところが異なる。以下では、図１０と異なる部分についてのみ説明する。【０１０２】
図１３の移動局の受信する信号は、下りスケジューリング情報と上り無線リソース割り当て情報とのそれぞれが誤り検出符号化され、インターリーブおよび誤り訂正符号化されている。従って、図１３の移動局では、図１０の移動局に対し、誤り訂正復号部１１２ｃによって誤り訂正復号された下りスケジューリング情報と上り無線リソース割り当て情報とを、デインターリーブ１１２ｄでデインターリーブを行う。【０１０３】
また、図１３の移動局は、分離部１１２ｅによって、デインターリーブされた下りスケジューリング情報と上り無線リソース割り当て情報とをそれぞれ分離する。そして、分離された下りスケジューリング情報と上り無線リソース割り当て情報とのそれぞれを、誤り検出復号部１１２ｆ，１１２ｈによって誤り検出復号する。【０１０４】
このように、無線基地局は、下りスケジューリング情報と上り無線リソース割り当て情報とのそれぞれを誤り検出符号化し、インターリーブする。そして、インターリーブした下りスケジューリング情報と上り無線リソース割り当て情報とをまとめて誤り訂正符号化を行う。これによっても、移動局からは、フォーマットの統一した上り信号が送信され得るので、無線基地局は、適正に上りデータを受信することができる。【０１０５】
次に、本発明の第４の実施の形態を図面を参照して詳細に説明する。第４の実施の形態では、移動局は、自局宛の下りデータの有無に関わらず、ＰＵＳＣＨにおいてＡＣＫ／ＮＡＣＫ用の領域を確保する。そして、自局宛の下りデータを受信した場合には、ＡＣＫまたはＮＡＣＫをその領域に多重し、自局宛の下りデータを受信しなかった場合には（自局宛の下りスケジューリング情報を検出しなかった場合には）、その領域でＮＡＣＫを送信する。【０１０６】
図１４は、第４の実施の形態に係る無線基地局と移動局の動作を示した図である。図には、下りスケジューリング情報１２１，１２６および上り無線リソース割り当て情報１２２，１２７と、下りデータ１２３，１２８とが示してある。また、上りデータ１２４，１２９と、ＰＵＳＣＨに確保されるＡＣＫ／ＮＡＣＫの領域１２５，１３０が示してある。なお、下りスケジューリング情報１２１，１２６と上り無線リソース割り当て情報１２２，１２７は、それぞれが誤り検出符号化および誤り訂正符号化されて移動局に送信される。【０１０７】
移動局は、下りスケジューリング情報１２１の検出に成功したとする。移動局は、下りスケジューリング情報１２１に基づき、下りデータ１２３を受信する。
また、移動局は、上り無線リソース割り当て情報１２２の検出に成功したとする。移動局は、上り無線リソース割り当て情報１２２に基づき、上りデータ１２４を無線基地局に送信する。このとき、移動局は、ＰＵＳＣＨにＡＣＫ／ＮＡＣＫを格納するための領域１２５を確保し、この領域１２５にＡＣＫ／ＮＡＣＫを格納して無線基地局に送信する。【０１０８】
例えば、移動局は、受信した下りデータ１２３の誤りを検出しなかった場合には、領域１２５にＡＣＫを格納して無線基地局に送信する。受信した下りデータ１２３の誤りを検出した場合には、移動局は、領域１２５にＮＡＣＫを格納して無線基地局に送信する。無線基地局は、領域１２５からＡＣＫ／ＮＡＣＫを受信し、これに応じて、下りデータの再送を判断する。【０１０９】
移動局は、下りスケジューリング情報１２６の検出に失敗したとする。この場合、移動局は、下りデータ１２８の受信処理を行わない。
また、移動局は、上り無線リソース割り当て情報１２７の検出には成功したとする。移動局は、上り無線リソース割り当て情報１２７に基づき、上りデータ１２９を無線基地局に送信する。【０１１０】
このとき、移動局は、ＰＵＳＣＨにＡＣＫ／ＮＡＣＫを格納するための領域１３０を確保し、この領域にＮＡＣＫを格納して無線基地局に送信する。移動局は、下りデータを受信していないからである。【０１１１】
このように、ＰＵＳＣＨにＡＣＫ／ＮＡＣＫを格納する領域を確保する。移動局は、下りスケジューリング情報の検出に成功して下りデータを受信した場合には、下りデータの誤り検出結果であるＡＣＫ／ＮＡＣＫを領域に格納して送信し、下りスケジューリング情報の検出に失敗して下りデータを受信しなかった場合には、ＮＡＣＫを領域に格納して送信する。【０１１２】
これにより、移動局は、常に上りデータとＡＣＫ／ＮＡＣＫの領域とを備えた同一の伝送フォーマットで無線基地局にデータを送信するので、無線基地局は、適正に上りデータを受信することができる。【０１１３】
図１５は、無線基地局の機能ブロック図である。図１５の各部は、図６で示した無線基地局１１の各部と同じ機能を有している。ただし、図１５の無線基地局は、図６の無線基地局１１に対し、下りスケジューリング情報と上り無線リソース割り当て情報とのそれぞれを誤り検出符号化および誤り訂正符号化して移動局に送信するところが異なる。また、図１５の無線基地局は、ＡＣＫ／ＮＡＣＫを格納する領域を確保したＰＵＳＣＨを受信するところが異なる。以下では、図６と異なる部分についてのみ説明する。【０１１４】
図１５の無線基地局は、図６の無線基地局１１に対し、下りデータ用制御データ生成部１３２ａから出力される下りスケジューリング情報と、上りデータ用制御データ生成部１３２ｄから出力される上り無線リソース割り当て情報とのそれぞれを、誤り検出符号化部１３２ｂ，１３２ｅおよび誤り訂正符号化部１３２ｃ，１３２ｆによって符号化する。【０１１５】
また、図１５の無線基地局の受信信号処理部１３２ｌは、ＰＵＳＣＨのＡＣＫ／ＮＡＣＫの領域を認識し、その領域からＡＣＫ／ＮＡＣＫを抽出して、復号部１３２ｍに出力する。【０１１６】
図１６は、移動局の機能ブロック図である。図１６の各部は、図７で示した移動局１２の各部と同じ機能を有している。ただし、図１６の移動局は、図７の移動局１２に対し、それぞれが符号化された下りスケジューリング情報と上り無線リソース割り当て情報とを受信するところが異なる。また、ＰＵＳＣＨにおいてＡＣＫ／ＮＡＣＫを格納する領域を確保するところが異なる。以下では、図７と異なる部分についてのみ説明する。【０１１７】
図１６の移動局の受信する信号は、下りスケジューリング情報と上り無線リソース割り当て情報とのそれぞれが符号化されている。従って、図１６の移動局は、図７の移動局に対し、誤り訂正復号部１４２ｃ，１４２ｆによって、下りスケジューリング情報と上り無線リソース割り当て情報とのそれぞれを誤り訂正復号し、誤り検出復号部１４２ｄ，１４２ｇによってそれぞれを誤り検出復号する。【０１１８】
ＡＣＫ／ＮＡＣＫ生成部１４２ｌは、下りデータの誤り検出結果に応じてＡＣＫ／ＮＡＣＫを生成する。また、下りデータが受信されなかった場合、ＮＡＣＫを生成する。
送信信号処理部１４２ｑは、ＰＵＳＣＨにおいて、ＡＣＫ／ＮＡＣＫを格納する領域を確保する。そして、確保した領域に符号化されたＡＣＫ／ＮＡＣＫを格納し、上りデータとともに無線基地局に送信するようにする。【０１１９】
このように、移動局は、常にＰＵＳＣＨにＡＣＫ／ＮＡＣＫを格納する領域を設けてＡＣＫ／ＮＡＣＫを送信する。これにより、無線基地局は、常に同じ伝送フォーマットのＰＵＳＣＨを受信することになり、適正に上りデータを受信することができる。【０１２０】
次に、本発明の第５の実施の形態を図面を参照して詳細に説明する。第５の実施の形態では、移動局は、上りデータを送信するときに、ＡＣＫ／ＮＡＣＫの有無を示す情報を制御チャネルとして付与する。【０１２１】
図１７は、第５の実施の形態に係る無線基地局と移動局の動作を示した図である。図には、下りスケジューリング情報１５１，１５７、上り無線リソース割り当て情報１５２，１５８、および下りデータ１５３，１５９が示してある。また、上りデータ１５４，１６０、ＰＵＳＣＨに確保されるＡＣＫ／ＮＡＣＫの領域１５５、およびＡＣＫ／ＮＡＣＫの有無を示す制御情報１５６，１６１が示してある。なお、下りスケジューリング情報１５１，１５７と上り無線リソース割り当て情報１５２，１５８は、それぞれ符号化されて移動局に送信される。【０１２２】
移動局は、下りスケジューリング情報１５１の検出に成功したとする。移動局は、下りスケジューリング情報１５１に基づき、下りデータ１５３を受信する。
また、移動局は、上り無線リソース割り当て情報１５２の検出に成功したとする。移動局は、上り無線リソース割り当て情報１５２に基づき、上りデータ１５４を無線基地局に送信する。【０１２３】
このとき、移動局は、ＰＵＳＣＨにＡＣＫ／ＮＡＣＫを格納するための領域１５５を確保し、領域１５５を確保したことを示す制御情報１５６を付与する。制御情報は、例えば、ビット情報で示され、‘１’でＡＣＫ／ＮＡＣＫの領域１５５を確保したことを示し、‘０’でＡＣＫ／ＮＡＣＫの領域１５５を確保しなかったことを示す。【０１２４】
なお、移動局は、下りスケジューリング情報１５１の検出に成功し、下りデータ１５３を受信している。従って、移動局は、その誤り検出結果を示すＡＣＫ／ＮＡＣＫを領域１５５で無線基地局に送信し、領域１５５を設けたことを示す制御情報１５６（ビット１）を無線基地局に送信する。【０１２５】
移動局は、下りスケジューリング情報１５７の検出に失敗したとする。この場合、移動局は、下りデータ１５９の受信処理を行わない。
また、移動局は、上り無線リソース割り当て情報１５８の検出には成功したとする。移動局は、上り無線リソース割り当て情報１５８に基づき、上りデータ１６０を無線基地局に送信する。【０１２６】
このとき、移動局は、下りデータ１５９を受信していないため、下りデータ１５９の誤り検出を行わない。従って、移動局は、ＰＵＳＣＨにＡＣＫ／ＮＡＣＫを格納するための領域をＰＵＳＣＨに確保せず、ＡＣＫ／ＮＡＣＫの領域を確保していないことを示す制御情報１６１（ビット０）を無線基地局に送信する。【０１２７】
このように、移動局は、ＡＣＫ／ＮＡＣＫを無線基地局に送信する場合、それを送信するための領域を確保したか否かを示す制御情報を付与して無線基地局に送信する。
これにより、無線基地局は、上りデータにＡＣＫ／ＮＡＣＫ情報が付与されているのか否か判断することができ、適正に上りデータを受信することができる。【０１２８】
図１８は、無線基地局の機能ブロック図である。図１８の各部は、図１５で示した無線基地局の各部と同じ機能を有している。ただし、図１８の無線基地局は、移動局から送信されるＡＣＫ／ＮＡＣＫを格納する領域を確保した旨の制御情報を抽出し、抽出した制御情報に基づき、ＡＣＫ／ＮＡＣＫの有無を判断するところが異なる。以下では、図１５と異なる部分についてのみ説明する。【０１２９】
図１８の無線基地局では、図１５の無線基地局に対し、受信信号処理部１７２ｌは、ＰＵＳＣＨに含まれている制御情報を取得する。復号部１７２ｍは、受信信号処理部１７２ｌによって取得された制御情報を復号する。【０１３０】
ＡＣＫ／ＮＡＣＫ制御情報判定部１７２ｎは、復号された制御情報が‘１’か‘０’かを判定する。すなわち、ＡＣＫ／ＮＡＣＫがＰＵＳＣＨに含まれているか否か判定する。ＡＣＫ／ＮＡＣＫが含まれている場合、その旨をＡＣＫ／ＮＡＣＫ判定部１７２ｐおよび上りデータ処理部１７２ｓに通知する。ＡＣＫ／ＮＡＣＫ判定部１７２ｐおよび上りデータ処理部１７２ｓは、ＰＵＳＣＨにＡＣＫ／ＮＡＣＫの領域が確保されていることを認識すると、ＡＣＫ／ＮＡＣＫの判定および上りデータの処理を行う。【０１３１】
図１９は、移動局の機能ブロック図である。図１９の各部は、図１６で示した移動局の各部と同じ機能を有している。ただし、図１９の移動局は、図１６の移動局に対し、ＰＵＳＣＨにＡＣＫ／ＮＡＣＫの領域を確保したか否かを示す制御情報を付与するところが異なる。以下では、図１６と異なる部分についてのみ説明する。【０１３２】
ＡＣＫ／ＮＡＣＫ制御情報生成部１８２ｌは、ＡＣＫ／ＮＡＣＫの領域を確保したか否かを示す制御情報を生成する。例えば、下りスケジューリング情報の検出に成功した場合、無線基地局にＡＣＫ／ＮＡＣＫを送信するので、ＡＣＫ／ＮＡＣＫ制御情報生成部１８２ｌは、ＡＣＫ／ＮＡＣＫの領域を確保することを示す制御情報（ビット１）を生成する。下りスケジューリング情報の検出に失敗した場合、無線基地局にＡＣＫ／ＮＡＣＫを送信しないので、ＡＣＫ／ＮＡＣＫ制御情報生成部１８２ｌは、ＡＣＫ／ＮＡＣＫの領域を確保してないことを示す制御情報（ビット０）を生成する。【０１３３】
送信信号処理部１８２ｓは、ＡＣＫ／ＮＡＣＫが生成された場合、ＰＵＳＣＨにＡＣＫ／ＮＡＣＫの領域を確保し、制御情報と上りデータとを多重して無線基地局に送信する。
このように、移動局は、ＰＵＳＣＨにＡＣＫ／ＮＡＣＫの領域を設けたか否かを示す制御情報を付与して無線基地局へ送信する。これにより、無線基地局は、ＰＵＳＣＨにＡＣＫ／ＮＡＣＫが含まれているか否か判断できるため、移動局から送信される伝送フォーマットがどのようなものであるか認識でき、適正に上りデータを受信することができる。【０１３４】
次に、本発明の第６の実施の形態を図面を参照して詳細に説明する。第６の実施の形態では、無線基地局は、移動局から送信される信号に対し、ＡＣＫ／ＮＡＣＫが多重されるフォーマットとＡＣＫ／ＮＡＣＫが多重されないフォーマットで受信を試みるようにする。【０１３５】
図２０は、第６の実施の形態に係る無線基地局と移動局の動作を示した図である。図には、下りスケジューリング情報１９１，１９８、上り無線リソース割り当て情報１９２，１９９、および下りデータ１９３，２００が示してある。また、上りデータ１９４，２０１およびＡＣＫ／ＮＡＣＫを格納する領域１９５が示してある。さらに、無線基地局が受信を試みることができるＰＵＳＣＨのフォーマット１９６，１９７，２０２，２０３が示してある。【０１３６】
移動局は、下りスケジューリング情報１９１の検出に成功したとする。移動局は、下りスケジューリング情報１９１に基づき、下りデータ１９３を受信する。
また、移動局は、上り無線リソース割り当て情報１９２の検出に成功したとする。移動局は、上り無線リソース割り当て情報１９２に基づき、上りデータ１９４を無線基地局に送信する。【０１３７】
このとき、移動局は、下りスケジューリング情報１９１の受信に成功しているため、ＰＵＳＣＨにＡＣＫ／ＮＡＣＫを格納するための領域１９５を確保し、ＡＣＫ／ＮＡＣＫを無線基地局に送信する。【０１３８】
無線基地局は、移動局から受信したデータに対し、ＡＣＫ／ＮＡＣＫの領域１９５を含むフォーマット１９６と、ＡＣＫ／ＮＡＣＫの領域１９５を含まないフォーマット１９７とで受信を試みる。無線基地局は、受信に成功した方のフォーマットのＰＵＳＣＨを受信する。図２０の例では、移動局は、領域１９５を含むＰＵＳＣＨを送信しているため、無線基地局は、フォーマット１９６でＰＵＳＣＨの受信に成功し、フォーマット１９７ではＰＵＳＣＨの受信に失敗することになる。なお、受信の成功および失敗の判断は、例えば、上りデータの誤り検出に基づいて行う。【０１３９】
移動局は、下りスケジューリング情報１９８の検出に失敗したとする。この場合、移動局は、下りデータ２００の受信処理を行わない。
また、移動局は、上り無線リソース割り当て情報１９９の検出には成功したとする。移動局は、上り無線リソース割り当て情報１９９に基づき、上りデータ２０１を無線基地局に送信する。【０１４０】
このとき、移動局は、下りデータ２００を受信していないため、ＰＵＳＣＨにＡＣＫ／ＮＡＣＫを格納するための領域を確保しない。従って、移動局は、上りデータ２０１のみを無線基地局に送信する。【０１４１】
無線基地局は、移動局から受信したデータに対し、ＡＣＫ／ＮＡＣＫの領域を含むフォーマット２０２と、ＡＣＫ／ＮＡＣＫの領域を含まないフォーマット２０３との受信を試みる。無線基地局は、受信に成功した方のフォーマットのＰＵＳＣＨを受信する。図２０の例では、移動局は、ＡＣＫ／ＮＡＣＫの領域を含まないＰＵＳＣＨを送信しているため、無線基地局は、フォーマット２０３でのＰＵＳＣＨの受信に成功し、フォーマット２０２でのＰＵＳＣＨの受信に失敗することになる。【０１４２】
このように、無線基地局は、移動局から送信され得る、ＡＣＫ／ＮＡＣＫの領域を含む伝送フォーマットとＡＣＫ／ＮＡＣＫの領域を含まない伝送フォーマットとの両方でデータの受信を試みる。【０１４３】
これにより、無線基地局は、移動局から異なる伝送フォーマットのデータを送信されても、適正に上りデータを受信することができる。
図２１は、無線基地局の機能ブロック図である。図２１の各部は、図１５で示した無線基地局の各部と同じ機能を有している。ただし、図２１の無線基地局は、移動局から受信したデータのフォーマットを認識するための機能を有するところが異なる。以下では、図１５と異なる部分についてのみ説明する。【０１４４】
図２１の無線基地局では、図１５の無線基地局に対し、受信フォーマット制御部２１２ｍは、受信信号処理部２１２ｌ、復号部２１２ｎ、ＡＣＫ／ＮＡＣＫ判定部２１２ｏ、誤り訂正復号部２１２ｐ、誤り検出復号部２１２ｑ、および上りデータ処理部２１２ｒに対し、受信したデータをＡＣＫ／ＮＡＣＫの領域が多重されるフォーマットと、ＡＣＫ／ＮＡＣＫの領域が多重されないフォーマットとの両方で処理をするよう制御する。受信信号処理部２１２ｌ、復号部２１２ｎ、ＡＣＫ／ＮＡＣＫ判定部２１２ｏ、誤り訂正復号部２１２ｐ、および上りデータ処理部２１２ｒは、誤り検出復号部２１２ｑによって上りデータに誤りが検出されなかった方のフォーマットの処理を採用するようにする。【０１４５】
図２２は、移動局の機能ブロック図である。図２２の各部は、図１６で示した移動局の各部と同じ機能を有している。ただし、図２２の移動局は、図１６の移動局に対し、常にＡＣＫ／ＮＡＣＫの領域を確保しないところが異なる。以下では、図１６と異なる部分についてのみ説明する。【０１４６】
図２２の移動局のＡＣＫ／ＮＡＣＫ生成部２２２ｎは、下りデータの誤り検出を行った場合、ＡＣＫ／ＮＡＣＫを生成する。従って、図２２の移動局は、下りスケジューリング情報の検出に失敗した場合、ＡＣＫ／ＮＡＣＫの領域を生成しないため、ＡＣＫ／ＮＡＣＫの領域を含むＰＵＳＣＨと、ＡＣＫ／ＮＡＣＫの領域を含まないＰＵＳＣＨとを無線基地局に送信することになる。【０１４７】
このように、移動局は、下りデータの誤り検出に応じてＡＣＫ／ＮＡＣＫを無線基地局に送信するため、ＡＣＫ／ＮＡＣＫの領域を含むＰＵＳＣＨとＡＣＫ／ＮＡＣＫを含まないＰＵＳＣＨの２種類の伝送フォーマットを無線基地局に送信することになる。無線基地局は、移動局からのＰＵＳＣＨをＡＣＫ／ＮＡＣＫの領域を含む伝送フォーマットとＡＣＫ／ＮＡＣＫを含まない伝送フォーマットの２種類で受信処理をするようにする。これにより、無線基地局は、移動局から送信される伝送フォーマットが統一されていなくても適正に上りデータを受信することができる。【０１４８】
次に、本発明の第７の実施の形態を図面を参照して詳細に説明する。第７の実施の形態では、移動局は、下りデータに対するＡＣＫ／ＮＡＣＫと上りデータとを無線基地局に送信する場合、下りデータに対するＡＣＫ／ＮＡＣＫと上りデータとをＰＵＳＣＨの中に時間多重しない。移動局は、下りデータに対するＡＣＫ／ＮＡＣＫを、予め割り当てられたＰＵＣＣＨあるいは下りデータまたは下り制御データが送信される無線リソースと関連付けられたＰＵＣＣＨで送信し、上りデータを上り無線リソース割り当て情報によって割り当てられたＰＵＳＣＨで送信する。【０１４９】
図２３は、第７の実施の形態に係る無線基地局と移動局の動作を示した図である。図には、下りスケジューリング情報２３１，２３８、上り無線リソース割り当て情報２３２，２３９、および下りデータ２３３，２４０が示してある。また、上りデータを送信するＰＵＳＣＨ２３４，２３６，２４１，２４３およびＡＣＫ／ＮＡＣＫを送信するＰＵＣＣＨ２３５，２３７，２４２，２４４が示してある。【０１５０】
移動局は、下りスケジューリング情報２３１の検出に成功したとする。移動局は、下りスケジューリング情報２３１に基づき、下りデータ２３３を受信する。また、移動局は、上り無線リソース割り当て情報２３２の検出に成功したとする。移動局は、上り無線リソース割り当て情報２３２に基づき、上りデータを送信する。【０１５１】
移動局は、下りデータ２３３を受信しているので、下りデータ２３３の誤り検出を行い、その検出結果であるＡＣＫ／ＮＡＣＫを無線基地局に送信する。移動局は、ＡＣＫ／ＮＡＣＫをＰＵＣＣＨ２３５で送信し、上りデータをＰＵＳＣＨ２３４で無線基地局に送信する。すなわち、移動局は、下りデータ２３３に対するＡＣＫ／ＮＡＣＫと上りデータとを周波数領域で多重し、無線基地局に送信する。【０１５２】
無線基地局は、下りデータ２３３に対するＡＣＫ／ＮＡＣＫの受信を、予め割り当てられたかあるいは下りデータまたは下りデータと関連付けられたＰＵＣＣＨで試みる。なお、移動局は、下りスケジューリング情報２３１の検出に成功しているので、無線基地局は、ＰＵＣＣＨ２３７でＡＣＫ／ＮＡＣＫを受信することになる。また、上りデータをＰＵＳＣＨ２３６で受信することになる。【０１５３】
移動局は、下りスケジューリング情報２３８の検出に失敗したとする。この場合、移動局は、下りデータ２４０の受信処理を行わない。
また、移動局は、上り無線リソース割り当て情報２３９の検出には成功したとする。移動局は、上り無線リソース割り当て情報２３９に基づき、上りデータをＰＵＳＣＨ２４１で送信する。【０１５４】
一方、移動局は、下りデータ２４０の受信処理を行っていないので、ＡＣＫ／ＮＡＣＫを無線基地局に送信しない。この場合、移動局は、ＰＵＣＣＨ２４２では何も送信しない。【０１５５】
無線基地局は、ＰＵＣＣＨ２４４でＡＣＫ／ＮＡＣＫの受信を試みる。しかし、移動局は、ＰＵＣＣＨ２４２で何も送信しないので、無線基地局は、ＤＴＸを検出する。無線基地局は、ＰＵＳＣＨ２４３で上りデータを受信する。【０１５６】
このように、下りデータに対するＡＣＫ／ＮＡＣＫと、上りデータを送信する無線リソースとがＰＵＣＣＨとＰＵＳＣＨとにそれぞれ分かれており独立しているので、移動局が送信するＰＵＳＣＨの送信フォーマットと無線基地局が想定しているＰＵＳＣＨの送信フォーマットの不一致が起こらない。また、下りデータに対するＡＣＫ／ＮＡＣＫの送受信も、上りデータの送信の有無に関わらずＰＵＣＣＨで送信されるので、上りデータと独立して行うことができる。【０１５７】
図２４は、無線基地局の機能ブロック図である。図２４の各部は、図１５で示した無線基地局の各部と同じ機能を有している。ただし、図２４の無線基地局は、ＰＵＣＣＨ受信処理部２５３でＡＣＫ／ＮＡＣＫ／ＤＴＸの復号および判定を行うところが異なる。また、ＰＵＳＣＨ受信処理部２５４で上りデータの受信処理を行うところが異なる。以下では、図１５と異なる部分についてのみ説明する。【０１５８】
ＰＵＣＣＨ受信処理部２５３の復号部２５２ｍは、移動局からＰＵＣＣＨで送信されたデータを復号する。ＡＣＫ／ＮＡＣＫ／ＤＴＸ判定部２５２ｎは、復号されたデータに基づき、ＡＣＫ／ＮＡＣＫの判定を行う。ＡＣＫ／ＮＡＣＫ／ＤＴＸ判定部２５２ｎは、復号されたデータがなければ、ＤＴＸを検出する。【０１５９】
ＰＵＳＣＨ受信処理部２５４の誤り訂正復号部２５２ｏは、移動局からＰＵＳＣＨで送信された上りデータを誤り訂正復号する。誤り検出復号部２５２ｐは、移動局からＰＵＳＣＨで送信された上りデータを誤り検出復号する。上りデータ処理部２５２ｑは、ＰＵＳＣＨで送信された上りデータの処理を行う。【０１６０】
図２５は、移動局の機能ブロック図である。図２５の各部は、図１６で示した移動局の各部と同じ機能を有している。ただし、図２５の移動局は、ＰＵＣＣＨ送信処理部２６３でＡＣＫ／ＮＡＣＫ生成を行い、符号化するところが異なる。また、ＰＵＳＣＨ送信処理部２６４で上りデータの送信処理を行うところが異なる。以下では、図１６と異なる部分についてのみ説明する。【０１６１】
ＰＵＣＣＨ送信処理部２６３のＡＣＫ／ＮＡＣＫ生成部２６２ｌは、下りデータに基づき、ＡＣＫ／ＮＡＣＫを生成する。復号化部２６２ｍは、生成されたＡＣＫ／ＮＡＣＫを符号化し、ＰＵＣＣＨで送信されるように処理する。【０１６２】
ＰＵＳＣＨ送信処理部２６４の上りデータ生成部２６２ｎは、上りデータを生成する。誤り検出符号化部２６２ｏは、上りデータの誤り検出符号化を行う。誤り訂正符号化部２６２ｐは、上りデータの誤り訂正符号化を行い、ＰＵＳＣＨで送信されるように処理する。【０１６３】
このように、移動局は、ＰＵＣＣＨでＡＣＫ／ＮＡＣＫを送信し、ＰＵＳＣＨで上りデータを送信する。これにより、無線基地局では、ＰＵＳＣＨの送信フォーマットとＰＵＳＣＨの送信フォーマットの不一致が起こらないため、上りデータを適正に受信することができる。【０１６４】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【０１６５】
１  無線基地局
１ａ  誤り検出符号化処理部
１ｂ  送信部
２  移動局
【図１】
2009022402.tif 000003
【図２】
2009022402.tif 000004
【図３】
2009022402.tif 000005
【図４】
2009022402.tif 000006
【図５】
2009022402.tif 000007
【図６】
2009022402.tif 000008
【図７】
2009022402.tif 000009
【図８】
2009022402.tif 000010
【図９】
2009022402.tif 000011
【図１０】
2009022402.tif 000012
【図１１】
2009022402.tif 000013
【図１２】
2009022402.tif 000014
【図１３】
2009022402.tif 000015
【図１４】
2009022402.tif 000016
【図１５】
2009022402.tif 000017
【図１６】
2009022402.tif 000018
【図１７】
2009022402.tif 000019
【図１８】
2009022402.tif 000020
【図１９】
2009022402.tif 000021
【図２０】
2009022402.tif 000022
【図２１】
2009022402.tif 000023
【図２２】
2009022402.tif 000024
【図２３】
2009022402.tif 000025
【図２４】
2009022402.tif 000026
【図２５】
2009022402.tif 000027
【図２６】
2009022402.tif 000028
【図２７】
2009022402.tif 000029
【図２８】
2009022402.tif 000030
【図２９】
2009022402.tif 000031
【図３０】
2009022402.tif 000032
【図３１】
2009022402.tif 000033
【図３２】
2009022402.tif 000034
【手続補正書】
【提出日】平成21年12月24日(2009.12.24)
【手続補正１】
【補正対象書類名】特許請求の範囲
【補正対象項目名】全文
【補正方法】変更
【補正の内容】
【特許請求の範囲】
【請求項１】
下り信号の受信に必要とされる第１の制御データと、上り信号の送信に必要とされる第２の制御データとを移動局に送信する無線基地局において、
前記第１の制御データと前記第２の制御データとの双方を含むデータを単位として誤り検出符号化処理を施す誤り検出符号化処理部と、
前記誤り検出符号化処理部によって誤り検出符号化処理されたデータを前記移動局に送信する送信部と、
を有することを特徴とする無線基地局。
【請求項２】
下り信号の受信に必要とされる第１の制御データと、上り信号の送信に必要とされる第２の制御データとを無線基地局から受信する移動局において、
前記第１の制御データと前記第２の制御データとの双方を含むデータを単位として誤り検出符号化処理が施されたデータを前記無線基地局から受信する受信部と、
前記受信部によって受信されたデータに誤り検出復号化処理を施す誤り検出復号化処理部と、
前記誤り検出復号化処理部によって誤り検出復号化処理されたデータを前記第１の制御データと前記第２の制御データとに分離する分離部と、
を有することを特徴とする移動局。
【請求項３】
下り信号の受信に必要とされる第１の制御データと、上り信号の送信に必要とされる第２の制御データとを移動局に送信する無線基地局において、
前記第１の制御データと前記第２の制御データとのそれぞれに誤り検出符号化処理を施す誤り検出符号化処理部と、
前記誤り検出符号化処理部によって誤り検出符号化処理された前記第１の制御データと前記第２の制御データとを多重する多重部と、
前記多重部によって多重された前記第１の制御データと前記第２の制御データとの双方を含むデータを単位として誤り訂正符号化処理を施す誤り訂正符号化処理部と、
前記誤り訂正符号化処理部によって誤り訂正符号化処理されたデータを送信する送信部と、
を有することを特徴とする無線基地局。
【請求項４】
下り信号の受信に必要とされる第１の制御データと、上り信号の送信に必要とされる第２の制御データとを無線基地局から受信する移動局において、
前記第１の制御データと前記第２の制御データとの双方を含むデータを単位として誤り訂正符号化処理が施されたデータを前記無線基地局から受信する受信部と、
前記受信部によって受信されたデータの誤り訂正復号化処理を施す誤り訂正復号化処理部と、
前記誤り訂正復号化処理部によって誤り訂正復号化処理されたデータを誤り検出符号化された前記第１の制御データと前記第２の制御データとに分離する分離部と、
前記分離部によって分離された誤り検出符号化された前記第１の制御データと前記第２の制御データとにそれぞれ誤り検出復号化処理を施す誤り検出復号化処理部と、
を有することを特徴とする移動局。
【請求項５】
無線基地局と無線通信を行う移動局において、
受信した下り信号の誤り検出結果を示す情報を生成する情報生成部と、
前記下り信号の受信の有無に関わらず前記情報を前記無線基地局に送信するための領域を上りデータチャネルに確保する情報領域確保部と、
を有することを特徴とする移動局。
【請求項６】
無線基地局と無線通信を行う移動局において、
受信した下り信号の誤り検出結果を示す情報を生成する情報生成部と、
前記下り信号の受信の有無に基づいて、前記情報を前記無線基地局に送信するための領域を上りデータチャネルに確保する情報領域確保部と、
前記情報領域確保部による前記領域の確保の有無を示す領域情報を前記上りデータチャネルに付与する領域情報付与部と、
を有することを特徴とする移動局。
【請求項７】
移動局と無線通信を行う無線基地局において、
上りデータチャネルに含まれる前記移動局の下り信号の誤り検出結果を示す情報の有無を示す制御情報を取得する制御情報取得部と、
前記制御情報取得部によって取得された制御情報に基づいて、前記情報を前記上りデータチャネルから取得する情報取得部と、
を有することを特徴とする無線基地局。
【請求項８】
移動局と無線通信を行う無線基地局において、
前記移動局の下り信号の誤り検出結果を示す情報を含む領域を確保した第１の伝送フォーマットと、前記情報を含む領域を確保していない第２の伝送フォーマットとに基づいて上りデータチャネルの受信処理を行う受信処理部、
を有することを特徴とする無線基地局。
【請求項９】
無線基地局と無線通信を行う移動局において、
受信した下り信号の誤り検出結果を示す情報を生成する情報生成部と、
前記情報を上り制御チャネルで送信し、上り信号を上りデータチャネルで送信する送信部と、
を有することを特徴とする移動局。
【請求項１０】
移動局と無線通信を行う無線基地局において、
前記移動局の下り信号の誤り検出結果を示す情報を上り制御チャネルで受信する情報受信部と、
前記移動局からの上り信号を上りデータチャネルで受信する上り信号受信部と、
を有することを特徴とする無線基地局。
【国際調査報告】
2009022402.tif 000035
2009022402.tif 000036